(57)【要約】【課題】多数の紙葉を綴じ込んでも厚く積み重なった下の方の紙葉の記載事項を読み取りやすいファイルおよびそのための紙葉の綴じ具を提供する【解決手段】プラスチック製基板１の一辺からヒンジ２ａを介して折り曲げ自在に延出したプラスチック製張出し板３を有する紙葉の綴じ具と、表板９、背板１０および裏板１１からなり、表板９と背板１０はヒンジ１２ａを介して折り曲げ自在に連接されており、背板１０と裏板１１はヒンジ１２ｂを介して折り曲げ自在に連設されているプラスチック製ファイル本体とからなり、プラスチック製張出し板３が表板９、背板１０または裏板１１の内面に、ヒンジ２ａがヒンジ１２ａ、ヒンジ１２ｂに平行になるように固設されており、該紙葉の綴じ具はヒンジ２ａを基点として回動自在であることを特徴とする紙葉綴じ込み用ファイルおよび前記紙葉の綴じ具。【選択図】  図１
2006021326.tif 000002
【特許請求の範囲】
【請求項１】
プラスチック製基板１の一辺からヒンジ２ａを介して折り曲げ自在に延出したプラスチック製張出し板３を有する紙葉の綴じ具と、表板９、背板１０および裏板１１からなり、表板９と背板１０はヒンジ１２ａを介して折り曲げ自在に連接されており、背板１０と裏板１１はヒンジ１２ｂを介して折り曲げ自在に連設されているプラスチック製ファイル本体とからなり、プラスチック製張出し板３が表板９、背板１０または裏板１１の内面に、ヒンジ２ａがヒンジ１２ａ、ヒンジ１２ｂに平行になるように固設されており、該紙葉の綴じ具はヒンジ２ａを基点として回動自在であることを特徴とする紙葉綴じ込み用ファイル。
【請求項２】
紙葉の綴じ具は、プラスチック製基板１の一辺からヒンジ２ａを介して折り曲げ自在にプラスチック製張出し板３が延出しており、プラスチック製基板１の前記一辺の別の箇所からヒンジ２ｂを介してプラスチック製綴じ板４ａが折り曲げ自在に延出しており、プラスチック製綴じ板４ａはヒンジ２ａを下辺とする窓６を有し、プラスチック製綴じ板４ａからヒンジ２ｃを介してプラスチック製綴じ板４ｂが折り曲げ自在に延出しており、プラスチック製綴じ板４ｂの先端部の手前には少なくとも一対の掛止孔５が穿設されており、プラスチック製基板１には少なくとも一対の掛止棒７が立設されており、各掛止棒７はその先端に外れ止め７ｂを有し、各掛止孔５は各掛止棒７の外れ止め７ｂに嵌脱自在であることを特徴とする請求項１記載の紙葉綴じ込み用ファイル。
【請求項３】
紙葉の綴じ具は、プラスチック製基板１の一辺からヒンジ２ａを介して折り曲げ自在にプラスチック製張出し板３が延出しており、プラスチック製基板１の前記一辺の別の箇所からヒンジ２ｂを介してプラスチック製綴じ板４ａが折り曲げ自在に延出しており、プラスチック製綴じ板４ａからヒンジ２ｃを介してプラスチック製綴じ板４ｂが折り曲げ自在に延出しており、プラスチック製綴じ板４ｂの先端部の手前には少なくとも一対の掛止孔５が穿設されており、プラスチック製基板１には少なくとも一対の掛止棒７が立設されており、各掛止棒７はその先端に外れ止め７ｂを有し、各掛止孔５は各掛止棒７の外れ止め７ｂに嵌脱自在であることを特徴とする請求項１記載の紙葉綴じ込み用ファイル。
【請求項４】
プラスチック製基板１上にヒンジ２ａ、ヒンジ２ｂに平行に凸条８ｂが立設されており、綴じ板４ａの掛止棒７に面した面上にヒンジ２ａ、ヒンジ２ｂに平行に凸条８ａが立設されており、凸条８ａ先端が凸条８ｂに当接することにより、綴じ板４ａが掛止棒７側に傾かないことを特徴とする請求項２または請求項３記載の紙葉綴じ込み用ファイル。
【請求項５】
プラスチックが硬質かつ可撓性を有するプラスチックであることを特徴とする請求項１〜請求項４のいずれか１項記載の紙葉綴じ込み用ファイル。
【請求項６】
硬質かつ可撓性を有するプラスチックがポリプロピレン樹脂であることを特徴とする請求項５記載の紙葉綴じ込み用ファイル。
【請求項７】
プラスチック製基板１の一辺からヒンジ２ａを介して折り曲げ自在にプラスチック製張出し板３が延出しており、プラスチック製基板１の前記一辺の別の箇所からヒンジ２ｂを介してプラスチック製綴じ板４ａが折り曲げ自在に延出しており、綴じ板４ａはヒンジ２ａを下辺とする窓６を有し、綴じ板４ａからヒンジ２ｃを介してプラスチック製綴じ板４ｂが折り曲げ自在に延出しており、プラスチック製綴じ板４ｂの先端部の手前には少なくとも一対の掛止孔５が穿設されており、プラスチック製基板１には少なくとも一対の掛止棒７が立設されており、各掛止棒７はその先端に外れ止め７ｂを有し、各掛止孔５は各掛止棒７の外れ止め７ｂに嵌脱自在であることを特徴とする紙葉の綴じ具。
【請求項８】
プラスチック製基板１の一辺からヒンジ２ａを介して折り曲げ自在にプラスチック製張出し板３が延出しており、プラスチック製基板１の前記一辺の別の箇所からヒンジ２ｂを介してプラスチック製綴じ板４ａが折り曲げ自在に延出しており、綴じ板４ａからヒンジ２ｃを介してプラスチック製綴じ板４ｂが折り曲げ自在に延出しており、プラスチック製綴じ板４ｂの先端部の手前には少なくとも一対の掛止孔５が穿設されており、プラスチック製基板１には少なくとも一対の掛止棒７が立設されており、各掛止棒７はその先端に外れ止め７ｂを有し、各掛止孔５は各掛止棒７の外れ止め７ｂに嵌脱自在であることを特徴とする紙葉の綴じ具。
【請求項９】
プラスチックが硬質かつ可撓性を有するプラスチックであることを特徴とする請求項７または請求項８記載の紙葉の綴じ具。
【請求項１０】
硬質かつ可撓性を有するプラスチックがポリプロピレン樹脂であることを特徴とする請求項９記載の紙葉の綴じ具。
【請求項１１】
紙葉の綴じ具は、長尺のプラスチック製基板１と、その長手方向一辺からヒンジ２ａを介して折り曲げ自在に延出したプラスチック製張出し板３と、プラスチック製基板１の両端近傍から延出した一対の帯状片１３と、一対の帯状片１３を挿通するための一対の挿通孔１４と一対の帯状片１３を収納可能な溝１５ａを備えた長尺の押え具１５と、該押え具１５上を摺動する一対の帯状片押曲部材１６とからなり、プラスチック製ファイル本体がプラスチック製であることを特徴とする請求項１記載の紙葉綴じ込み用ファイル。
【請求項１２】
長尺のプラスチック製基板１と、その長手方向一辺からヒンジ２ａを介して折り曲げ自在に延出したプラスチック製張出し板３と、プラスチック製基板１の両端近傍から延出している一対の帯状片１３と、一対の帯状片１３を挿通するための一対の挿通孔１４と一対の帯状片１３を収納可能な溝１５ａを備えた長尺の押え具１５と、押え具１５上を摺動する一対の帯状片押曲部材１６とからなることを特徴とする紙葉の綴じ具。
【発明の詳細な説明】
【技術分野】
【０００１】
本発明は、書類、伝票、カタログ、パンフレット、小冊子等の紙葉の綴じ込み用ファイル、および、そのための紙葉の綴じ具に関する。
【背景技術】
【０００２】
書類、伝票、カタログ、パンフレット、小冊子等の紙葉の綴じ込み用ファイルとして、リング式ファイル、パイプ式ファイル、レバーアーチ式ファイルが周知であり汎用されているが、紙葉の綴じ具であるリング部分，パイプ部分、レバーアーチ部分が金属製なので、用済み後廃棄処分しにくいという問題がある。また、リング式ファイルはリングを開いて紙葉の嵌脱を行うが、二つに分割されたリング先端間の間隙が狭くて一度に多数枚の紙葉を嵌脱しにくいという問題がある。パイプ式ファイルとレバーアーチ式ファイルは、多数枚の紙葉が綴じられていると、厚く積み重なった底のほうに綴じられた紙葉の記載事項、特に綴じ孔に近い箇所の記載事項を見るには、両手両指を使って紙葉を左右に拡げる必要があり、それでも見にくい。無理やり拡げて見ようとすると紙葉の綴じ孔周辺が破れて脱離しかねない。うっかり手指を離すと紙葉が元通りに綴じてしまう。
特開２００１−４７７８３と特開２００２−１２７６６２に新規なファイルが提案されており、従来技術であるファイルも説明されている（特許文献1、特許文献２参照）が、同様の問題、欠点があり、解消されていない。
【０００３】
【特許文献１】特開２００１−４７７８３号公報
【特許文献２】特開２００２−１２７６６２号公報
【発明の開示】
【発明が解決しようとする課題】
【０００４】
かかる状況に鑑み、本発明者は、かかる問題、欠点のないファイルを開発すべく鋭意研究して、かかる問題、欠点のないファイルを発明するに至った。本発明の目的は、多数の紙葉を綴じ込んでも厚く積み重なった下の方の紙葉の記載事項、特には紙葉の綴じ孔に近い箇所の記載事項も読み取りやすく、ほぼ水平方向に開いた多数枚の紙葉を指で押さえていなくても綴じることがなく、仮に指で押さえるにしても軽く抑えるだけでよいファイル、および、そのための紙葉の綴じ具を提供することにある。
【課題を解決するための手段】
【０００５】
本発明は、
(1)プラスチック製基板１の一辺からヒンジ２ａを介して折り曲げ自在に延出したプラスチック製張出し板３を有する紙葉の綴じ具と、表板９、背板１０および裏板１１からなり、表板９と背板１０はヒンジ１２ａを介して折り曲げ自在に連接されており、背板１０と裏板１１はヒンジ１２ｂを介して折り曲げ自在に連設されているプラスチック製ファイル本体とからなり、プラスチック製張出し板３が表板９、背板１０または裏板１１の内面に、ヒンジ２ａがヒンジ１２ａ、ヒンジ１２ｂに平行になるように固設されており、該紙葉の綴じ具はヒンジ２ａを基点として回動自在であることを特徴とする紙葉綴じ込み用ファイル。
(2)紙葉の綴じ具は、プラスチック製基板１の一辺からヒンジ２ａを介して折り曲げ自在にプラスチック製張出し板３が延出しており、プラスチック製基板１の前記一辺の別の箇所からヒンジ２ｂを介してプラスチック製綴じ板４ａが折り曲げ自在に延出しており、綴じ板４ａはヒンジ２ａを下辺とする窓６を有し、綴じ板４ａからヒンジ２ｃを介してプラスチック製綴じ板４ｂが折り曲げ自在に延出しており、綴じ板４ｂの先端部の手前には少なくとも一対の掛止孔５が穿設されており、プラスチック製基板１には少なくとも一対の掛止棒７が立設されており、各掛止棒７はその先端に外れ止め７ｂを有し、各掛止孔５は各掛止棒７の外れ止め７ｂに嵌脱自在であることを特徴とする(1)記載の紙葉綴じ込み用ファイル。
(3)紙葉の綴じ具は、プラスチック製基板１の一辺からヒンジ２ａを介して折り曲げ自在にプラスチック製張出し板３が延出しており、プラスチック製基板１の前記一辺の別の箇所からヒンジ２ｂを介してプラスチック製綴じ板４ａが折り曲げ自在に延出しており、綴じ板４ａからヒンジ２ｃを介してプラスチック製綴じ板４ｂが折り曲げ自在に延出しており、綴じ板４ｂの先端部の手前には少なくとも一対の掛止孔５が穿設されており、プラスチック製基板１には少なくとも一対の掛止棒７が立設されており、各掛止棒７はその先端に外れ止め７ｂを有し、各掛止孔５は各掛止棒７の外れ止め７ｂに嵌脱自在であることを特徴とする(1)記載の紙葉綴じ込み用ファイル。
(4)プラスチック製基板１上にヒンジ２ａ、ヒンジ２ｂに平行に凸条８ｂが立設されており、綴じ板４ａの掛止棒７に面した面上にヒンジ２ａ、ヒンジ２ｂに平行に凸条８ａが立設されており、凸条８ａ先端が凸条８ｂに当接することにより、綴じ板４ａが掛止棒７側に傾かないことを特徴とする(2)または(3)記載の紙葉綴じ込み用ファイル。
(5)プラスチックが硬質かつ可撓性を有するプラスチックであることを特徴とする(1)〜(4)のいずれかに記載の紙葉綴じ込み用ファイル。
(6)硬質かつ可撓性を有するプラスチックがポリプロピレン樹脂であることを特徴とする(5)記載の紙葉綴じ込み用ファイル。
(7)プラスチック製基板１の一辺からヒンジ２ａを介して折り曲げ自在にプラスチック製張出し板３が延出しており、プラスチック製基板１の前記一辺の別の箇所からヒンジ２ｂを介してプラスチック製綴じ板４ａが折り曲げ自在に延出しており、綴じ板４ａはヒンジ２ａを下辺とする窓６を有し、綴じ板４ａからヒンジ２ｃを介してプラスチック製綴じ板４ｂが折り曲げ自在に延出しており、プラスチック製綴じ板４ｂの先端部の手前には少なくとも一対の掛止孔５が穿設されており、プラスチック製基板１には少なくとも一対の掛止棒７が立設されており、各掛止棒７はその先端に外れ止め７ｂを有し、各掛止孔５は各掛止棒７の外れ止め７ｂに嵌脱自在であることを特徴とする紙葉の綴じ具。
(8)プラスチック製基板１の一辺からヒンジ２ａを介して折り曲げ自在にプラスチック製張出し板３が延出しており、プラスチック製基板１の前記一辺の別の箇所からヒンジ２ｂを介してプラスチック製綴じ板４ａが折り曲げ自在に延出しており、綴じ板４ａからヒンジ２ｃを介してプラスチック製綴じ板４ｂが折り曲げ自在に延出しており、プラスチック製綴じ板４ｂの先端部の手前には少なくとも一対の掛止孔５が穿設されており、プラスチック製基板１には少なくとも一対の掛止棒７が立設されており、各掛止棒７はその先端に外れ止め７ｂを有し、各掛止孔５は各掛止棒７の外れ止め７ｂに嵌脱自在であることを特徴とする紙葉の綴じ具。
(9)プラスチックが硬質かつ可撓性を有するプラスチックであることを特徴とする(7)または(8)記載の紙葉の綴じ具。
(10)硬質かつ可撓性を有するプラスチックがポリプロピレン樹脂であることを特徴とする(9)記載の紙葉の綴じ具。
(11)紙葉の綴じ具は、長尺のプラスチック製基板１と、その長手方向一辺からヒンジ２ａを介して折り曲げ自在に延出したプラスチック製張出し板３と、プラスチック製基板１の両端近傍から延出した一対の帯状片１３と、一対の帯状片１３を挿通するための一対の挿通孔１４と一対の帯状片１３を収納可能な溝１５ａを備えた長尺の押え具１５と、該押え具１５上を摺動する一対の帯状片押曲部材１６とからなり、プラスチック製ファイル本体がプラスチック製であることを特徴とする(1)記載の紙葉綴じ込み用ファイル。
(12) 長尺のプラスチック製基板１と、その長手方向一辺からヒンジ２ａを介して折り曲げ自在に延出したプラスチック製張出し板３と、プラスチック製基板１の両端近傍から延出している一対の帯状片１３と、一対の帯状片１３を挿通するための一対の挿通孔１４と一対の帯状片１３を収納可能な溝１５ａを備えた長尺の押え具１５と、押え具１５上を摺動する一対の帯状片押曲部材１６とからなることを特徴とする紙葉綴じ具。；に関する。
【発明の効果】
【０００６】
本発明のファイルは、紙葉の綴じ具のプラスチック製基板１の一辺からヒンジ２ａを介して折り曲げ自在にプラスチック製張出し板３が延出しており、表板９、背板１０または裏板１１の内面に、ヒンジ２ａがヒンジ１２ａ、ヒンジ１２ｂに平行になるように固設されているため、紙葉の綴じ具がヒンジ２ａを基点として回動自在であるので、多数枚の紙葉を綴じ込んでも厚く積み重なった下の方の紙葉の記載事項、特には紙葉の綴じ孔近傍の記載事項も読み取りやすく、ほぼ水平方向に開いた多数枚の紙葉は、指で押さえていなくても綴じることがなく、仮に指で押さえるにしても軽く抑えるだけでよいので、きわめて至便である。また、紙葉が伝票のように一枚ものである場合に、紙葉の綴じ孔近傍を強く押さえる必要がないので、該綴じ孔周辺が破れることがない。そのため、該綴じ孔周辺に補強用リングを貼着する必要がない。
本発明の紙葉の綴じ具は、上記作用効果を有するとともに、プラスチック製基板１の一辺からヒンジ２ａを介して折り曲げ自在にプラスチック製張出し板３が延出しているため、プラスチック製ファイル本体の表板９、背板１０または裏板１１の内面に、ヒンジ２ａがヒンジ１２ａ、ヒンジ１２ｂに平行になるように固設可能であるので、プラスチック製ファイル用の紙葉の綴じ具としてきわめて有用である。
【発明を実施するための最良の形態】
【０００７】
本発明における伝票のように紙葉は一枚ものだけでなく、複数枚をステープラで留めたもの、パンフレット、小冊子のように一端を綴じたものであってもよい。紙葉は、セルロース系のみならず、合成紙系、フィルム系であってもよい。
【０００８】
本発明のファイルは、紙葉の綴じ具のプラスチック製基板１の一辺からヒンジ２ａを介して折り曲げ自在に延出したプラスチック製張出し板３が、表板９、背板１０および裏板１１からなり、表板９と背板１０はヒンジ１２ａを介して連接されており、背板１０と裏板１１はヒンジ１２ｂを介して折り曲げ自在に連設されているプラスチック製ファイル本体の、表板９、背板１０または裏板１１の内面に、ヒンジ２ａがヒンジ１２ａ、ヒンジ１２ｂに平行になるように固設されており、紙葉の綴じ具はヒンジ２ａを基点として回動自在である。ただい、紙葉の綴じ具のプラスチック製張出し板３を表板９または裏板１１に固設する場合は、その先端辺がヒンジ１２ａまたはヒンジ１２ｂにできるだけ近い位置に固設することが好ましい。
なお、２個の紙葉の綴じ具を、表板９、背板１０および裏板１１のいずれか二つの内面に固設してもよい。プラスチック製ファイル本体は、表板９、背板１０および裏板１１からなり、表板９と背板１０はヒンジ１２ａを介して連接されており、背板１０と裏板１１はヒンジ１２ｂを介して折り曲げ自在に連設されているが、表板９、背板１０および裏板１１は同一のプラスチックからできていることが好ましい。プラスチック製ファイル本体は、硬質かつ可撓性のプラスチック製であることが好ましく、加工性、成形性、形状保持性、折り目、特にはヒンジの付けやすさと耐屈曲性の点で硬質かつ可撓性の熱可塑性プラスチック製、例えば、ポリプロピレン樹脂製、ついでポリエチレンテレフタレート樹脂製が好ましい。
【０００９】
本発明の紙葉の綴じ具は、そのプラスチック製基板１の一辺からヒンジ２ａを介して折り曲げ自在にプラスチック製張出し板３が延出しており、表板９、背板１０および裏板１１からなり、表板９と背板１０はヒンジ１２ａを介して折り曲げ自在に連接されており、背板１０と裏板１１はヒンジ１２ｂを介して折り曲げ自在に連設されているプラスチック製ファイル本体の表板９、背板１０または裏板１１の内面に当該張り出し板３を固設でき、多数枚の紙葉を綴じ込み、取り外すことができるものであればよく、その形状、構造、サイズは特に限定されない。ヒンジ１２ａ、１２ｂは、断面Ｕ字状や、断面Ｖ字状の溝であり、その深さは折れ曲がりやすさの点で表板９、背板１０、裏板１１の厚みの１/３〜１/１０位が適切である。これらヒンジは溝の一部にスリットが存在していてもよい。かかるヒンジを有するポリプロピレン樹脂の基板や綴じ板は、ヒンジ部分で２０万回以上折り曲げ可能である。
【００１０】
好適な紙葉の綴じ具は、図１、図３、図６に示されるように、そのプラスチック製基板１の一辺の中央部分からヒンジ２ａを介して折り曲げ自在にプラスチック製張出し板３が延出しており、プラスチック製基板１の前記一辺の両端寄り２箇所からヒンジ２ｂを介してプラスチック製綴じ板４ａが折り曲げ自在に延出しており、プラスチック製綴じ板４ａはヒンジ２ａを下辺とする窓６を有し、プラスチック製綴じ板４ａからヒンジ２ｃを介してプラスチック製綴じ板４ｂが折り曲げ自在に延出しており、プラスチック製綴じ板４ｂの先端部の手前には一対の掛止孔５がヒンジ２ａに並行に穿設されており、プラスチック製基板１には一対の掛止棒７がヒンジ２ａに並行に立設されており、各掛止棒７はその先端に外れ止め７ｂを有し、各掛止孔５は各掛止棒７の外れ止め７ｂに嵌脱自在である紙葉の綴じ具Ａ１（図１、図３、図５参照）とＡ２（図６参照）である。
【００１１】
プラスチック製基板１は、掛止棒７を立設できるだけの厚みと物性を有しておればよく、長方形が好ましいが、ヒンジ２ａを介してプラスチック製綴じ板４ａが延出できる一辺を有しておればよく、特に限定されない。プラスチック製張出し板３の形状は長方形が好ましいが、凹字形、凸字形などでもよく、プラスチック製ファイル本体Ｃ表板９、背板１０または裏板１１の内面へ固設可能であればよく、特に限定されない。
プラスチック基板１は、プラスチック製であり、硬質かつ可撓性のプラスチック製であることが好ましく、加工性、成形性、形状保持性、折り目、特にはヒンジの付けやすさと耐屈曲性の点で硬質かつ可撓性の熱可塑性プラスチック製、例えば、ポリプロピレン樹脂製、ついでポリエチレンテレフタレート樹脂製が好ましい。
プラスチック製ファイル本体Ｃの表板９、背板１０または裏板１１の内面へのプラスチック製張出し板３の固設は、熱融着、ねじ止め、ビス止め、これらの併用などがある。プラスチック製ファイル本体Ｃ、プラスチック製張出し板３ともに同一のプラスチック製、特には硬質かつ可撓性の熱可塑性プラスチック製であると熱融着が可能である。
【００１２】
図１、図６に示されるように、プラスチック製綴じ板４ａは、プラスチック製基板１のプラスチック製張出し板３が延出している一辺ではあるが、該一辺の両端寄り２箇所からヒンジ２ｂを介して折り曲げ自在に延出しており、かつ、ヒンジ２ａを下辺とする窓６を有している。したがって、図１、図３、図５、図６に示されるようにプラスチック製綴じ板４ａは、窓６によって二つに分断されているが、二つの窓６によって三つに分断されていてもよい。プラスチック製綴じ板４ａが二つの窓６によって三つに分断されていると、プラスチック製綴じ板４ｂが上下に撓みにくくなるので好ましい。
【００１３】
図１、図３、図５、図６に示されるように、プラスチック製綴じ板４ｂは、二つに分断されたプラスチック製綴じ板４ａの先端部からヒンジ２ｃを介して延出しており、図１、図４、図６に示されるようにヒンジ２ｃで９０度に折り曲げた状態ではプラスチック製基板１の上に位置している。プラスチック製綴じ板４ｂの先端部の手前には一対の掛止孔５がヒンジ２ｃに並行に穿設されている。一対の掛止孔５は、プラスチック製綴じ板４ｂを折り曲げたときにプラスチック製基板１に立設されている一対の掛止棒７上にくるような位置にある。なお掛止孔５、掛止棒７ともに一対半（３個）や、２対存在していてもよい。
【００１４】
プラスチック製綴じ板４ａはヒンジ２ａとヒンジ２ｃ間に、プラスチック製綴じ板４ｂはその先端部とヒンジ２ｃ間に、１以上のヒンジが存在してもよい。
プラスチック製綴じ板４ａとプラスチック製綴じ板４ｂは、プラスチック製であり、硬質かつ可撓性のプラスチック製であることが好ましく、加工性、成形性、形状保持性、折り目、特にはヒンジの付けやすさと耐屈曲性の点で硬質かつ可撓性の熱可塑性プラスチック製、例えば、ポリプロピレン樹脂製、ついでポリエチレンテレフタレート樹脂製が好ましい。
【００１５】
プラスチック製綴じ板４ｂの先端部の手前には一対の掛止孔５がヒンジ２ｃに並行に穿設されている。指でプラスチック製綴じ板４ａとプラスチック製綴じ板４ｂを掛止棒７方向に折り曲げ、各掛止孔５を各掛止棒７の外れ止め７ｂに嵌め込む。換言すると、各掛止棒７の外れ止め７ｂを各掛止孔５に嵌め込む。そうするとプラスチック製綴じ板４ｂは、綴じられた紙葉を押さえつけてその浮き上がり、ひいては脱離を防止する。プラスチック製綴じ板４ｂを各掛止棒７の外れ止め７ｂから外すには、指でプラスチック製綴じ板４ｂを摘まんで上方へ引っ張ればよい。
各掛止孔５は綴じ板５の厚み方向に直径が異なることが好ましい。その最小径は、各掛止棒７の外れ止め７ｂの最大径より若干小さいことが好ましい。
プラスチック製綴じ板４ｂの厚みは、外れ止め７ｂの高さより小さいことが好ましい。プラスチック製綴じ板４ｂの形状は長方形が好ましいが、正方形、多角形、凹字形、などでもよく、紙葉を押さえつけ可能であればよく、特に限定されない。
【００１６】
図６に示す綴じ具に使用されるプラスチック製基板１とプラスチック製張出し板３とプラスチック製綴じ板４ａとプラスチック製綴じ板４ｂとからなる成形体は、まず、矩形のプラスチック板に並行する２本のヒンジを形成して断面コの字形に折り曲げ可能とし、ついで、プラスチック製綴じ板４ａとプラスチック製綴じ板４ｂとの間のヒンジ２ｃの中央寄り部分を所定幅に切断し、ついで、プラスチック製綴じ板４ａを切断部分の両端からヒンジ２ｂ（プラスチック製基板１とプラスチック製綴じ板４ａ間）まで切断することにより作製することができる。
【００１７】
プラスチック製基板１に立設されている一対の掛止棒７は、その軸体７ａと、その先端に連結した外れ止め７ｂとからなる。外れ止め７ｂは、軸体７ａの先端に連結する部分の直径は軸体７ａの直径より小さく、途中で直径が大きくなり、先端に近づくにしたがって、直径が小さくなるものが好適である。軸体７ａは、その根本が軸体７ａより側方に延出していることが好ましい。プラスチック製基板１への立設が容易になり、脱落しにくくなるからである。掛止棒７の軸体７ａは円柱状が好ましいが、多角柱状であってもよい。プラスチック製基板１への掛止棒７の立設は、熱融着、ねじ止め、ビス止め、嵌め込み、一体成形、これらの併用などいずれでもよい。一対の掛止棒７は、ヒンジ２ａに平行に基板１に立設されている。
【００１８】
掛止棒７は、金属、セラミック、硬質プラスチック、堅い木材等の硬質材料でできていることが好ましく、加工性や成形性と形状保持性の点で硬質の熱可塑性プラスチック製、例えば、ポリプロピレン樹脂製、ついでポリエチレンテレフタレート樹脂製が好ましい。プラスチック製基板１とプラスチック製綴じ板４ａとプラスチック製綴じ板４ｂは、成形加工性の点で同一プラスチックでできていることが好ましい。さらには掛止棒７も同一材料でできていると、基板１に熱融着により立設容易であり、好ましい。これらは、ともに硬質かつ可撓性の熱可塑性プラスチック製、例えば、ポリプロピレン樹脂製、ついでポリエチレンテレフタレート樹脂製が好ましい。ヒンジ２ａ、２ｂ、２ｃは、断面Ｕ字状や、断面Ｖ字状の溝であり、その深さは折れ曲がりやすさの点でプラスチック製基板１やプラスチック製綴じ板４ａ、プラスチック製綴じ板４ｂの厚みの１/３〜１/１０位が適切である。これらヒンジは溝の一部にスリットが存在していてもよい。かかるヒンジを有するポリプロピレン樹脂の基板や綴じ板は、ヒンジ部分で２０万回以上折り曲げ可能である。
【００１９】
図１〜図４に示されるようにプラスチック製基板１上にヒンジ２ａ、ヒンジ２ｂに平行に凸条８ｂが立設されており、プラスチック製綴じ板４ａの掛止棒７に面した面上にヒンジ２ａ、ヒンジ２ｂに平行に凸条８ａが立設されていることが好ましい。凸条８ａ先端が凸条８ｂに当接することにより、綴じ板４ａが掛止棒７側に傾かないので、掛止棒７の先端にある外れ止め７ｂを各掛止孔５に嵌め込みやすい。
【００２０】
別の好適な紙葉の綴じ具は、図７に示されるように、そのプラスチック製基板１の一辺の中央部分からヒンジ２ａを介して折り曲げ自在にプラスチック製張出し板３が延出しており、プラスチック製基板１の前記一辺の両端寄り部分からヒンジ２ｂを介してプラスチック製綴じ板４ａが折り曲げ自在に延出しており、プラスチック製綴じ板４綴じ板４ａからヒンジ２ｃを介してプラスチック製綴じ板４ｂが折り曲げ自在に延出しており、プラスチック製綴じ板４ｂの先端部の手前には一対の掛止孔５がヒンジ２ｃに並行に穿設されており、プラスチック製基板１には一対の掛止棒７がヒンジ２ａに並行に立設されており、各掛止棒７はその先端に外れ止め７ｂを有し、各掛止孔５は各掛止棒７の外れ止め７ｂに嵌脱自在である紙葉の綴じ具Ａ３である。なお、プラスチック製張出し板３は、プラスチック製基板１の一辺からヒンジ２ａ、ヒンジ２ｂを介して折り曲げ自在に延出していてもよい。なお掛止孔５、掛止棒７ともに一対半（３個）や、２対存在していてもよい。
【００２１】
ここで、プラスチック製基板１、プラスチック製張出し板３、プラスチック製綴じ板４ａ（ただし、窓６を有しない点を除く）、プラスチック製綴じ板４ｂ、ヒンジ２ａ、ヒンジ２ｂ、ヒンジ２ｃ、掛止孔５、掛止棒７については、上述したとおりである。
図７に示す紙葉の綴じ具Ａ３に使用されるプラスチック製基板１とプラスチック製綴じ板４ａとプラスチック製綴じ板４ｂとからなる成形体は、この成形体の前駆体の形状の空隙を有する金型を使用して射出成形して前駆体を形成し、ついでヒンジ２ａ、２ｂ、２ｃを形成することにより製造することができる。
【００２２】
別の好適な紙葉の綴じ具は、長尺のプラスチック製基板１と、その長手方向一辺からヒンジ２ａを介して折り曲げ自在に張り出したプラスチック製張出し板３と、プラスチック製基板１の両端近傍から延出した一対の帯状片１３と、該帯状片１３を挿通するための一対の挿通孔１４と一対の帯状片１３を収納可能な溝１５ａを備えた長尺の押え具１５と、押え具１５上を摺動する一対の帯状片押曲部材１６とからなる紙葉の綴じ具Ａ４（図２参照）である。
帯状片１３は、軟質プラスチック製であり、その長手方向に直交する凸条を有していることが好ましい。かかる帯状片１３は、その上に帯状片押曲部材１６を摺動させた際に折り曲がりやすく、溝１５ａに嵌まり込み、帯状片押曲部材１６と押え具１５との間に挟持させやすい。一対の帯状片押曲部材１６は、図２に示されるように、押え具１５に跨り、その両側端が内方に折れ曲がって押え具１５の下面に延出するか、その両側端が溝１５ａの両横の窪みに嵌まり込むことが好ましい。
この種の紙葉の綴じ具は、帯状片の形状、押え具と帯状片押曲部材の形状や構造等に関して種々のバリエーションがあり得て、図２に示されるものに限定されない。
【００２３】
本発明の紙葉の綴じ具の紙葉綴じ込み機構は、特開２００２−１２７６６２に開示されているような機構、すなわち、基板に立設した一対の帯状片を、一対の切欠部を有する挟持部材の該切欠部に嵌め込む機構であってもよい。
【００２４】
図９は、本発明の紙葉の綴じ具Ａ１を具備する紙葉綴じ込み用ファイルＤ１に多数枚の紙葉Ｆを綴じ込み、多数枚の紙葉Ｆを左右両方向に拡げた状態の斜視図である。紙葉の綴じ具Ａ１は、ヒンジ２ａ、ヒンジ２ｂを基点として回動して一対のプラスチック製綴じ板４ａが背板１０内面に接触しており、そのためプラスチック製張出し板３は見えず、一対の掛止棒７はプラスチック製ファイル本体Ｃと平行になっている。厚さ１０ｍｍ〜２５ｍｍというように厚く積み重なった多数枚の紙葉Ｆは、左右両方向に開いており、その途中がプラスチック製ファイル本体Ｃとほぼ平行になっているので、紙葉の綴じ孔近傍、一対の掛止棒７近くの記載事項まで読み取ることができる。紙葉の弾力性にもよるが、ほぼ水平方向に開いた多数枚の紙葉Ｆは、指で押さえていなくても閉じることがなく、仮に指で押さえるにしても軽く抑えるだけでよいので、きわめて至便である。
【００２５】
ところが、図１０は、プラスチック製張出し板３を有さず、プラスチック製基板１がプラスチック製ファイル本体Ｃの背板１０に固設された紙葉の綴じ具Ｂを具備する紙葉綴じ込み用ファイルＤ１に多数枚の紙葉Ｆを綴じ込み、多数枚の紙葉Ｆの約半数を右方向にめくった状態の斜視図である。厚さ１０ｍｍ〜２５ｍｍというように厚く積み重なった多数枚の紙葉を綴じこむと、紙葉の綴じ孔近傍、一対の掛止棒７近くの記載事項を読もうと思ってもきわめて読みにくい。すなわち、両手両指で紙葉を強く押さえて読みたい紙葉の記載事項が見えるようにする必要があり、無理やり紙葉を押さえつけると、紙葉の綴じ孔周辺が破れて脱離しかねない。また、手指を離すと元通りに綴じてしまい、きわめて不便である。
【産業上の利用可能性】
【００２６】
本発明の紙葉綴じ込み用ファイルは、書類、伝票、カタログ、パンフレット、小冊子等多数枚の紙葉を綴じ込み、必要に応じてその記載事項を読み取るのに有用である。本発明の紙葉の綴じ具は、上記ファイルのプラスチック製ファイル本体に取付けるのに有用である。
【図面の簡単な説明】
【００２７】
【図１】本発明の１実施例の紙葉綴じ込み用ファイルＤ１の概略斜視図である。紙葉の綴じ具Ａ１は透明なポリプロピレン樹脂製である。
【図２】紙葉の綴じ具Ａ１のオープン状態の側面図である。
【図３】紙葉の綴じ具Ａ１のオープン状態の正面図である。
【図４】紙葉の綴じ具Ａ１の閉じた状態の側面図である。
【図５】紙葉の綴じ具Ａ１の閉じた状態の正面図である。
【図６】本発明の別の実施例の紙葉の綴じ具Ａ２の閉じた状態の斜視図である。
【図７】本発明の別の実施例の紙葉の綴じ具Ａ３の閉じた状態の斜視図である。
【図８】本発明の別の実施例の紙葉綴じ込み用ファイルＤ２の概略斜視図である。
【図９】本発明の紙葉の綴じ具Ａ１（ただし、突状８ａと８ｂは図示していない）のプラスチック製張出し板３を背板１０に固設してなる紙葉綴じ込み用ファイルＤ１に、多数枚の紙葉Ｆを綴じ込み、多数枚の紙葉Ｆを左右両方向に拡げた状態の斜視図である。
【図１０】プラスチック製張出し板３を有しない紙葉の綴じ具Ｂ（ただし、突状８ａと８ｂは図示していない）のプラスチック製基板１をプラスチック製ファイル本体Ｃの背板１０に固設してなる紙葉綴じ込み用ファイルＥに、多数枚の紙葉Ｆを綴じ込み、多数枚の紙葉Ｆの約半数を右側にめくった状態の斜視図である。
【図１１】図１０の紙葉の綴じ具Ｂのプラスチック製基板１をプラスチック製ファイル本体Ｃの背板１０に固設してなる紙葉綴じ込み用ファイルＥの概略斜視図である。
【符号の説明】
【００２８】
１  プラスチック製基板
２ａ   ヒンジ
２ｂ  ヒンジ
２ｃ  ヒンジ
３  プラスチック製張出し板
４ａ  プラスチック製綴じ板
４ｂ  プラスチック製綴じ板
５  掛止孔
６  窓
７  掛止棒
７ａ  軸体
７ｂ  外れ止め
８ａ  凸条
８ｂ  凸条
９  表板
１０  背板
１１  裏板
１２ａ  ヒンジ
１２ｂ  ヒンジ
１３  帯状片
１４  挿通孔
１５  押え具
１５ａ  溝
１６  帯状片押曲部材
Ａ１  紙葉の綴じ具
Ａ２  紙葉の綴じ具
Ａ３  紙葉の綴じ具
Ａ４  紙葉の綴じ具
Ｂ  紙葉の綴じ具
Ｃ  プラスチック製ファイル本体
Ｄ１  紙葉綴じ込み用ファイル
Ｄ２  紙葉綴じ込み用ファイル
Ｅ  紙葉綴じ込み用ファイル
Ｆ  多数枚の紙葉
【図１】
2006021326.tif 000003
【図２】
2006021326.tif 000004
【図３】
2006021326.tif 000005
【図４】
2006021326.tif 000006
【図５】
2006021326.tif 000007
【図６】
2006021326.tif 000008
【図７】
2006021326.tif 000009
【図８】
2006021326.tif 000010
【図９】
2006021326.tif 000011
【図１０】
2006021326.tif 000012
【図１１】
2006021326.tif 000013